(57)【要約】【課題】特に壁面に対するミズゴケの定着・養生に適した手段を提供すること。【解決手段】横架した部材に懸垂されている、浸潤状態の乾燥ミズゴケの植物体の集合物の横架前面に生長ミズゴケの植物体を定着させてなるミズゴケ複合体を、主に、生長ミズゴケの植物体が表側に定着された状態にて壁面上に固定された態様で用いることにより、上記の課題を解決し得ることを見出した。【選択図】  図５
2007029076.tif 000002
【特許請求の範囲】
【請求項１】
横架した部材に懸垂されている、浸潤状態の乾燥ミズゴケの植物体の集合物の横架前面に生長ミズゴケの植物体を定着させてなる、ミズゴケ複合体。
【請求項２】
請求項１記載のミズゴケ複合体を１単位として、２単位以上が互いの乾燥ミズゴケの植物体の集合物同士が接触することにより、共通した水の浸潤系を形成してなることを特徴とする、ミズゴケ複合体。
【請求項３】
前記ミズゴケ複合体において、２単位以上のミズゴケ複合体における乾燥ミズゴケの植物体の集合物同士の接触が、一方の単位のミズゴケ複合体の上端近傍と、他方の単位のミズゴケ複合体の下端近傍とで行われることを特徴とする、請求項２記載のミズゴケ複合体。
【請求項４】
前記ミズゴケ複合体において、乾燥ミズゴケの植物体の集合物の一部を水に接触させることにより、当該集合物全体が湿潤状態となっていることを特徴とする、請求項１〜３のいずれかに記載のミズゴケ複合体。
【請求項５】
前記ミズゴケ複合体において、生長ミズゴケの植物体が表側に定着された状態で、壁面上に固定されていることを特徴とする、請求項１〜４のいずれかに記載のミズゴケ複合体。
【発明の詳細な説明】
【技術分野】
【０００１】  本発明は、ミズゴケの栽培を、特に壁面上において行うことに適したミズゴケ複合体に関する発明である。
【背景技術】
【０００２】  ミズゴケは、正確には、ミズゴケ亜網（Ｓｐｈａｇｎｉｄａｅ）に属するコケ植物のことをいい、世界に１科１属約１５０種が、日本に約３５種が記録されている。ミズゴケは、コケ植物の中では最も経済的価値の高いものの一つとして知られており、日本では、主に園芸用に用いられることが多い。【０００３】  また、水面上で泥炭が発達する高層湿原では、ミズゴケが一面に繁茂し、その下に、主にミズゴケの遺骸からなる泥炭層が、深さ数メートルにもわたり形成されることが知られている。このような高層湿原では、数千年という長い期間にわたり、大量の二酸化炭素を固定しており、現在の地球上での、非常に重要な二酸化炭素吸収源であることが知られている。【０００４】  現在、さまざまな理由により、このような高層湿原が急速に損なわれつつあり、地球規模の二酸化炭素の固定力の低下による、地球の温暖化の加速が懸念されている。【０００５】  このような状況下、ミズゴケを大量に、かつ、容易に栽培し得る手段が望まれている。【０００６】  このようなことを踏まえて、本発明者らは、ミズゴケの大量栽培を可能とするミズゴケ栽培基（以下、従来のミズゴケ栽培基）についての出願を行った［ＰＣＴ／ＪＰ０３／１６８８２号：ＷＯ２００４／０６００４９Ａ１（２００４年７月２２日国際公開）］。
【発明の開示】
【発明が解決しようとする課題】
【０００７】  従来のミズゴケ栽培基は、ミズゴケの大量栽培を可能とする画期的な技術であるが、さらに、様々な態様のミズゴケの栽培手段を確立することは、ミズゴケによる地球環境の保全の可能性をいっそう高める上で意義あることである。【０００８】  本発明では、特に壁面に対するミズゴケの定着・養生に適した手段を提供することにある。
【課題を解決するための手段】
【０００９】  本発明者は、横架した部材に懸垂されている、浸潤状態の乾燥ミズゴケの植物体の集合物の横架前面に生長ミズゴケの植物体を定着させてなる、ミズゴケ複合体（以下、本ミズゴケ複合体ともいう）を提供することにより、上記の課題を解決し得ることを見出した。【００１０】  （１）ミズゴケ
上記出願公報においても明らかにしたように、ミズゴケの植物体１０は、茎部１１、葉部及び枝部１２（以下、当該葉部及び枝部を「頭部」として総称する）（図１）からなるが、これらのミズゴケ植物体の個別部分は、各々の部分毎に再生能力を有することが知られている（上記公報において明らかにされている）。【００１１】  本発明は、上述したように、ミズゴケの栽培手段を提供する発明であり、その栽培対象としての「生長ミズゴケ（植物体）」の他に、当該生長ミズゴケと接触させる「乾燥ミズゴケ」を必要とする。【００１２】  「乾燥ミズゴケ」とは、湿潤状態にあるか否かを問わず、主に、殺菌死滅処理を加えた乾燥ミズゴケ（市販品も可）を意味するものであるが、生長ミズゴケ（生命活動が維持されているミズゴケ）を単純に乾燥したものも含むものとする。【００１３】  また、本開示において、「ミズゴケ」と記載した場合は、Ｓｐｈａｇｎｕｍ  Ｌ．を総括的に意味することの他に、特に断らない限り、本発明の直接的な対象物としての「生長ミズゴケ」を意味するものとする。【００１４】  本複合体における栽培の対象となる「生長ミズゴケ」、さらに、上述した「乾燥ミズゴケ」共、本発明が適用され得るミズゴケは、コケ植物蘚類  ミズゴケ科  ミズゴケ属（Ｓｐｈａｇｎｕｍ  Ｌ．）に属する全てを意味し、例えば、日本国原産のものであれば、オオミズゴケ（Ｓｐｈａｇｎｕｍ  ｐａｌｕｓｔｒｅ  Ｌ．）、イボミズゴケ（Ｓｐｈａｇｎｕｍ  ｐａｐｉｌｌｏｓｕｍ  Ｌｉｎｄｂ．）、ムラサキミズゴケ（Ｓｐｈａｇｎｕｍ  ｍａｇｅｌｌａｎｉｃｕｍ  Ｂｒｉｄ．）、キレハミズゴケ（Ｓｐｈａｇｎｕｍ  ａｏｎｇｓｔｒｏｅｍｉｉ  Ｃ．Ｈａｒｔｍ）、キダチミズゴケ（Ｓｐｈａｇｎｕｍ  ｃｏｍｐａｃｔｕｍ  ＤＣ．）、コアナミズゴケ（Ｓｐｈａｇｎｕｍ  ｍｉｃｒｏｐｏｒｕｍ  Ｗａｒｎｓｔ．ｅｘ  Ｃａｒｄ）、コバノミズゴケ（Ｓｐｈａｇｎｕｍ  ｃａｌｙｍｍａｔｏｐｈｙｌｌｕｍ  Ｗａｒｎｅｓｔ．＆  Ｃａｒｄ．）、ユガミミズゴケ（Ｓｐｈａｇｎｕｍ  ｓｕｂｓｅｃｕｎｄｕｍ  Ｎｅｅｓ  ｅｘ  Ｓｔｕｒｍ）、ホソバミズゴケ（Ｓｐｈａｇｎｕｍ  ｇｉｒｇｅｎｓｏｈｎｉｉ  Ｒｕｓｓｏｗ）、チャミズゴケ（Ｓｐｈａｇｎｕｍ  ｆｕｓｃｕｍ（Ｓｃｈｉｍｐ．）Ｈ．Ｋｌｉｎｇｇｒ．）、ヒメミズゴケ（Ｓｐｈａｇｎｕｍ  ｆｉｍｂｒｉａｔｕｍ  Ｗｉｌｓｏｎ  ｅｘ  Ｗｉｌｓｏｎ  ＆  Ｈｏｏｋ．ｆ．）、スギハミズゴケ（Ｓｐｈａｇｎｕｍ  ｃａｐｉｌｌｉｆｏｌｉｕｍ（Ｅｈｒｈ．）Ｈｅｄｗ．）、ホソベリミズゴケ（Ｓｐｈａｇｎｕｍ  ｊｕｎｇｈｕｈｎｉａｎｕｍ  Ｄｏｚｙ  ＆  Ｍｏｌｋ．Ｓｕｂｓｐ．Ｐｓｅｕｄｏｍｏｌｌｅ（Ｗａｒｎｅｓｔ．）Ｈ．Ｓｕｚｕｋｉ）、ワタミズゴケ（Ｓｐｈａｇｎｕｍ  ｔｅｎｅｌｌｕｍ  Ｈｏｆｆｍ．）、ハリミズゴケ（Ｓｐｈａｇｎｕｍ  ｃｕｓｐｉｄａｔｕｍ  Ｈｏｆｆｍ．）、アオモリミズゴケ（Ｓｐｈａｇｎｕｍ  ｒｅｃｕｒｖｕｍ  Ｐ．Ｂｅａｕｖ．）、ウロコミズゴケ（Ｓｐｈａｇｎｕｍ  ｓｑｕａｒｒｏｓｕｍ  Ｃｒｏｍｅ）等を挙げることができる。また、日本国以外の地域原産のミズゴケを、本発明に適用することも可能であることは勿論である。【００１５】  これらのミズゴケの中でも、オオミズゴケは、「生長ミズゴケ」としても、「乾燥ミズゴケ」としても、本発明を適用するのに好適なミズゴケの一つである。【００１６】  （２）横架する部材と乾燥ミズゴケ植物体の懸垂
横架する部材（以下、横架部材ともいう）は、例えば、垂直面や斜面において横架することにより、当該垂直面や斜面に沿って、乾燥ミズゴケ植物体の集合物を懸垂状態とすることが可能な部材であれば、特に限定されない。例えば、針金等の線状部材、棒状部材、網状部材（乾燥ミズゴケ植物体を網の目を通して懸垂状態とすることができる。この場合の網目の平均径は５〜１０ｃｍ程度である）等を例示することができるが、これらに限定されるものではない。ただし、生長ミズゴケの植物体の伸長による隠れやすさを考慮すると、線状部材又は網状部材であることが好適である。特に、網状部材を用いる態様では、乾燥ミズゴケ植物体集合体が形成すべき表側の面の植物体の長さを保ちつつ、裏面の長さを、裏面側の乾燥ミズゴケの植物体を網目に通して係止することにより、裏面側の乾燥ミズゴケの植物体の長さを短くすることが可能である。【００１７】  乾燥ミズゴケ植物体の懸垂は、単純に垂直面や斜面に固定された横架部材に、複数の乾燥ミズゴケ植物体の長手方向を被せて懸垂することにより行うことができる。この場合の乾燥ミズゴケ植物体は、前もって湿潤させておくことが好適である。また、乾燥ミズゴケ植物体の長手方向における長さは、少なくとも７ｃｍ以上あることが好適であり、１０ｃｍ以上であることが、特に好適である。【００１８】  乾燥ミズゴケ植物体は、上述したように市販品を用いることができる。市販品を用いる場合には、乾燥ミズゴケ植物体の長手方向における長さが上記程度確保されているグレードのものを選択することが好適である。また、栽培したミズゴケを用いることもできる。この栽培は、例えば、以下のように行う。この方法は、長手方向における長さが確保され、かつ、当該長さも揃っている乾燥ミズゴケの集合物を得ることが可能な方法である。【００１９】  ＜人工栽培による乾燥ミズゴケの調製方法の例＞
すなわち、図２は、ミズゴケの栽培圃場・ミズゴケ人工庭園等として用い得る、本ミズゴケ複合体を用いた平置きの栽培器２０に関する一実施態様を、その組み立て工程を併せて示した図面である（縦断面図）。図２（１）において、平地面２１の上に、第１の枠状部材２３１（材質は特に限定されず、木材、プラスチック、金属等を使用可能）を水平に載置し、その枠材の上から防水シート２２（ビニールシート等）を、当該枠状部材２３１の載置により形成される凹部の淵に密着するように被せ、当該枠材の上面の平面形状と実質的に同一の形状の透水部材２３３（網状部材等）を、防水シート２２が被せられた当該枠材の上に載置する。次いで、第１の枠状部材２３１の枠材の上に重ね合わせることが可能な形状の、第２の枠状部材２３２を載置固定する。これにより、その外枠に排水可能な隙間２３４が設けられた、上側が開口した箱状の構造物が構築される。当該箱状構造物の中に、貫通口２４２が設けられた多数の凹構造が設けられた凹凸板状部材２４の凹構造の開口部を上に向けて載置し、その上から、乾燥ミズゴケ２５［乾燥ミズゴケ２５は、湿潤した状態であっても、乾燥した状態であってもよいが、湿潤した状態（水切りがされていなくてもよい）であることが好適である］を詰め込む。乾燥ミズゴケ２５は、これを介して、乾燥ミズゴケ植物体ベッド２７３１に十分な水を供給できる状態となっていれば、必ずしも、凹凸板状部材２４の全ての凹構造に乾燥ミズゴケ２５が詰め込まれている必要はない。また、当該凹凸板状部材２４は、乾燥ミズゴケ２５により形成される第１の乾燥ミズゴケ層に用いる乾燥ミズゴケの量を節約するために用いるものであり、乾燥ミズゴケの量を考慮に入れないのであれば、当該凹凸板状部材２４を用いずに、箱状構造物の底に直接に乾燥ミズゴケ２５を詰め込んで、これを第１の乾燥ミズゴケ層とすることも可能である。この段階で水２６として想定される量の一部を箱状構造物の中に注入することが好適である。また、例えば、当該箱状構造物の中に、煉瓦状部材２４３等の部材を載置して、当該箱状構造物中の水２６の水位の確認口、兼、水２６の注入口を設けることが好適である。水２６は、例えば、管２６１を介して箱状構造物中に注入されるが、これに限定されるものではない。【００２０】  このようにして形成された第１の乾燥ミズゴケ層２５の上に、粗状態の乾燥ミズゴケ集合物２７３［図２（２）］を形成する。この粗状態の乾燥ミズゴケ集合物２７３の形成は、好適には、水に濡らした乾燥ミズゴケ２７１を手力等により水垂れ（２７２）しない程度に圧縮して、これを、ほぐして、そのまま、第１の乾燥ミズゴケ層の上に載置することにより行うことができる。当該粗状態の乾燥ミズゴケ集合物２７３の上側表面全面に、生長ミズゴケ植物体２８を載置する。次いで、好適には、生長ミズゴケ植物体２８の載置を行った、粗状態の乾燥ミズゴケ集合物２７３の上側表面全面に、シャワーノズル２９１から噴出された緩水流２９２を流しかけて、当該乾燥ミズゴケ集合物２７３全体の引き締め処理を行うことで（この処理により、当該乾燥ミズゴケ集合物２７３の高さが減じ、この減じた高さが、本ミズゴケ複合体２０全体の高さＨ３となる。）、生長���ズゴケ植物体２８の定着工程は完了して、上側が開口した箱状の構造物上に乾燥ミズゴケ植物体ベッド２７３１が形成される。【００２１】  最後に、部材２４３を用いて設けた注水口に水を注ぎ入れて、水２６の水位を規定の水位Ｈ１とする。当該規定水位Ｈ１に達した時点で、余剰な水が枠材間に形成された排水用の隙間から流出しはじめるので、当該流出が認められた時点で注水を中止して、全ての本複合体２０の構築作業は終了する。規定水位Ｈ１から、乾燥ミズゴケ植物体ベッド２７３１の上面までの距離（高さ）は、上述したように、汚れた水の雑成分の生長ミズゴケ植物体２８に対するトラップ機能と、特に夏期の気温変動により水２６の水温が上昇した場合の温度緩衝機能を、乾燥ミズゴケ植物体ベッド２７３が十分に果たすために必要な高さである。当該高さは、最低２ｃｍ以上、好ましくは５ｃｍ以上、さらに好ましくは７ｃｍ以上設けるべきである。当該高さは、乾燥ミズゴケ集合物が揚水可能な高さまで設定可能であり、２０〜３０ｃｍ以上とすることも可能であるが、当該高さが大きすぎると、余分な乾燥ミズゴケを使うことになり、資源の効率的な使用の観点からは問題が生じる場合もあり得る。【００２２】  水２６は、第１の乾燥ミズゴケ集合物２５〜乾燥ミズゴケ植物体ベッド２７３１を介して、生長ミズゴケ植物体２８に接触し、これと、適当量の日照により、当該ミズゴケ植物体２８は養生され、生長し、当該ベッド２７３１表面は次第にマット状となる。【００２３】  図３は、平置きタイプの本ミズゴケ複合体を用いた栽培器にて養生した生長ミズゴケの植物体を分離して、乾燥ミズゴケとして用いる態様を示した図面である。【００２４】  図３（１）は、図２に示した平置きタイプの栽培器を簡略化して示した図面（縦断面図）である。乾燥ミズゴケ植物体ベッド２７３１の上に載置・固定して、適当な丈（少なくとも７ｃｍ以上が好適である）にまで伸長した生長ミズゴケの植物体２８１は、手力等で容易に、当該ベッド２７３１から引き剥がすように分離することが可能である。このようにして分離した生長ミズゴケの植物体２８１’を、そのまま適当な場所２９１に置いて、天日２９２にて乾燥させることにより、植物体が縦配列の乾燥ミズゴケ集合物７１を得ることができる［図３（２）］。【００２５】  図３（３）は、前述したように、当初より事後的な生長ミズゴケの植物体２８の分離活用を行うことが予定されている場合における好適な態様を示している。上述した粗状態の乾燥ミズゴケ集合物２７３への生長ミズゴケの植物体２８の載置工程の前に、底部が網状体部分７２１となっており、好適には縁７２２付きの網状体７２［網の目の大きさは、生長ミズゴケの植物体の頭部よりも若干小さい（網の目の平均直径が０．５〜１．８ｃｍ程度）ことが好適である］を、当該乾燥ミズゴケ集合物２７３の上に載置して、その上から生長ミズゴケの植物体２８の載置・定着を行い、上述した工程に従って乾燥ミズゴケ植物体ベッド２７３１を形成して、生長ミズゴケの植物体２８の養生を行い、これを適当な丈まで伸長させた生長ミズゴケの植物体２８１とする。次いで、好適には縁７２２を取手として網状体７２を乾燥ミズゴケ植物体ベッド２７３１から取り外すことで、極めて簡便に生長ミズゴケの植物体２８１の分離を行うことができる。例えば、この生長ミズゴケの植物体’が縦に配列した形態にて保たれている網状体７２を、そのまま天日２９２にて乾燥させることにより、極めて簡便に縦配列の乾燥ミズゴケ集合物７１を得ることができる［図３（４）］。【００２６】  （３）乾燥ミズゴケ植物体の集合物の湿潤化
上記乾燥ミズゴケ植物体の集合物の湿潤化は、当該集合物を継続的な湿潤状態とすることが好適である。当該湿潤状態は、水に本ミズゴケ複合体の乾燥ミズゴケ植物体集合物の一部を水に接触させて、乾燥ミズゴケ自体の優れた給水力により、当該水を本ミズゴケ複合体全体に行き渡らせることにより行うことができる。この水との接触は、通常は直接的に乾燥ミズゴケ植物体集合物の一部を水に浸漬することにより行われるが、他の水に直接的に接触させた吸水性部分、典型的には別個に設けて、本ミズゴケ複合体の乾燥ミズゴケ植物体集合物に接触させた、他の乾燥ミズゴケ植物体の集合物を介する間接的な接触であってもよい。また、ここで用いられる水は、上水（水道水）、中水、湖沼水、河川水、雨水、地下水等であってもよいが、例えば、クーラーの使用によって発生する水等を用いることもできる。【００２７】  （４）生長ミズゴケの定着化
本ミズゴケ複合体における生長ミズゴケの植物体の定着方法は特に限定されないが、好適には、生長ミズゴケの植物体の茎部を、本ミズゴケ複合体における個々の乾燥ミズゴケ植物体の長手方向が、縦方向に揃えられた乾燥ミズゴケの集合物において、縦方向に形成されている隙間に差し込み固定することにより行うことができる。また、その他、この茎部差し込みなしに、生長ミズゴケの植物体の側面全体を乾燥ミズゴケの植物体の集合物に接触させて、線状部材等で乾燥ミズゴケ植物体との接触状態を保つようにすることで行うことができる。【００２８】  上記（１）〜（４）により、本ミズゴケ複合体における生長ミズゴケの養生を行うことができる。【００２９】  （５）本ミズゴケ複合体の連結
上記（１）〜（４）において述べた本ミズゴケ複合体を１単位として、２単位以上が互いの乾燥ミズゴケの植物体の集合物同士を接触させることにより、共通した水の浸潤系を形成させることができる。例えば、２単位以上のミズゴケ複合体における乾燥ミズゴケの植物体の集合物同士の接触が、一方の単位のミズゴケ複合体の上端近傍と、他方の単位のミズゴケ複合体の下端近傍とで行うことができる。この態様は、特に、生長ミズゴケの植物体が表側に定着された状態で、壁面上に固定させる場合に好適である。【００３０】  このような連結を行う場合も、個々のミズゴケ複合体のいずれか又は全て（典型的には、２単位以上を連結してなる本ミズゴケ複合体の、生長ミズゴケの植物体の養生を行う場合の上端又は下端に位置する本ミズゴケ複合体の単位）の、乾燥ミズゴケの植物体の集合物の一部を水に接触させることにより、当該連結ミズゴケ複合体全体を湿潤状態とすることができる。
【発明の効果】
【００３１】  本発明により、ミズゴケの栽培を、特に壁面上において行うことに適したミズゴケ複合体が提供される。
【発明を実施するための最良の形態】
【００３２】  図４は、本ミズゴケ複合体の壁面における実施態様をいくつか示した図面である。【００３３】  図４（１）は、壁面１１において構築した本ミズゴケ複合体１０の縦断面図を示している。壁面１１上から突出させて設けた上方が開口した箱状構造１２の中には、プラスチック等の防水素材製の水溜構造１３１が嵌合配置されている。また、当該水溜構造１３１には、板状構造１３２が組み合わされて構成されており、当該板状構造１３２は、壁面１１に接した状態で固定されている。また、水溜構造１３１には、水１４が入っている。図中に黒丸で表されている符号１５ａ〜１５ｄは、横架固定されている線状部材の横断面である（各線状部材同士は５〜１０ｃｍ程度の距離である）。吸水用の乾燥ミズゴケ植物体の集合物１６は一塊になった状態で、水１４と共に水溜構造１３１中に配置されている。第１の乾燥ミズゴケ植物体の集合物１６ａは、その下端が前記乾燥ミズゴケ植物体１６に接した状態で、上端近傍が線状部材１５ａにおける掛け止めによる懸垂状態が保たれている。第２の乾燥ミズゴケ植物体の集合物１６ｂは、その下端が前記乾燥ミズゴケ植物体１６ａの上端近傍に接した状態で、線状部材１５ｂにおける掛け止めによる懸垂状態が保たれている。第３の乾燥ミズゴケ植物体の集合物１６ｃは、その下端が前記乾燥ミズゴケ植物体１６ｂの上端近傍に接した状態で、線状部材１５ｃにおける掛け止めによる懸垂状態が保たれている。第４の乾燥ミズゴケ植物体の集合物１６ｄは、その下端が前記乾燥ミズゴケ植物体１６ｃの上端近傍に接した状態で、線状部材１５ｄにおける掛け止めによる懸垂状態が保たれている。生長ミズゴケの植物体群１７は、乾燥ミズゴケの集合物１６ａ〜１６ｄにより壁面１１に沿って形成される、乾燥ミズゴケ植物体の配列方向が上下方向に揃ってなる乾燥ミズゴケ植物体の集合物面において、個々の乾燥ミズゴケ植物体同士の間で形成される隙間に茎部が差し込み固定されている（個々の生長ミズゴケの植物体の差し込み密度は、０．２〜４ｃｍ２に１植物体程度である）。水１４は、乾燥ミズゴケ植物体の集合物１６、１６ａ〜ｄの優れた吸水力により、これらの集合物全体が湿潤した状態が保たれており、これを介して生長ミズゴケの植物体群１７に水が継続的に供給されて、当該生長ミズゴケが養生される。【００３４】  なお、生長ミズゴケの植物体群１７の定着密度を縦方向に対して疎として、例えば、吸水用の乾燥ミズゴケ植物体の集合物１６近傍のみとし、当該生長ミズゴケ植物体群１７の養生に伴う上方への伸長に伴って、当該生長ミズゴケ植物体を線状部材１５ａ〜ｄの内側に順次入れ込むことにより、本ミズゴケ複合体１０の前面に生長ミズゴケの植物体群１７の茎部が露出した形態とすることができる。この形態では、当該前面が日照方向であれば、生長ミズゴケの茎部から葉部が枝分かれするために、全面が生長ミズゴケの植物体で覆われている外見とすることができる。このよう、生長ミズゴケの植物体の植え込み密度を低くすることにより、初期の生長ミズゴケの植物体の植え込み作業を効率化することができる。【００３５】  図４（２）は、図４（１）の線状部材１５ａ〜１５ｄに代えて、網状部材２５を用いた態様２０を簡単に���した図面である。網状部材２５には、少なくとも横線部材２５ａ〜ｄが設けられており、好適には縦線部材が設けられている。縦線部材が設けられた場合の網状体の網目の平均径は、５〜１０ｃｍ程度である。なお、横線部材には、乾燥ミズゴケ植物体の集合物２６ａ〜ｄの掛け止めを容易にするための構造、例えば、微細な波型構造等が設けられていてもよい。水２３は、乾燥ミズゴケ植物体の集合物２６（吸水用乾燥ミズゴケ）、２６ａ〜ｄ（少なくとも横線部材２５ａ〜ｄ、好ましくは、当該横線部材と縦線部材により掛け止めされた乾燥ミズゴケ植物体）の優れた吸水力により、これらの集合物全体が湿潤した状態が保たれており、これを介して生長ミズゴケの植物体群２７に水が継続的に供給されて、当該生長ミズゴケが養生される。【００３６】  また、図４（１）の態様で述べたと同様にして、生長ミズゴケの植物体群２７の初期の定着密度を縦方向に疎として、初期の定着作業を効率化することができる。【００３７】  図５は、本ミズゴケ複合体を壁面に適用した、さらに実用的なミズゴケによる、水循環型壁面緑化システム３０の例を示している（縦断面図）。【００３８】  垂直面を形成する構造物３１には、上記図４（２）にて示した、網状部材２５を用いた本ミズゴケ複合体２０に準じた本ミズゴケ複合体２０’の裏面が、防水板３２に接した状態で、壁面拘止用部材３３ａ〜ｃの拘止力により、垂直面を有する構造物３４上に固定されている。本ミズゴケ複合体２０’の真下に水溜用槽３５が設置されており、その中には水３５１が、水位センサーからの信号等による給水管３６１からの給水により、常に一定量確保されるように設定されている。水溜用槽３５内の水３５１は、揚水ポンプ３６２及び揚水管３６３を介して、本ミズゴケ複合体２０’の上端部の上近傍にて、当該複合体２０’に向けてシャワーノズル３６４から、一定量／時間で供給されている。このようにして供給された本ミズゴケ複合体２０’の上端部に供給された水３５１は、当該複合体２０’を構成する乾燥ミズゴケ植物体の集合物３７［図４（２）の態様における乾燥ミズゴケ植物体の集合物２６（吸水用乾燥ミズゴケ植物体）、２６ａ〜ｄに相当する］に満遍なく行き渡り、当該水の継続した供給により、生長ミズゴケの植物体群３８の養生が行われる。本ミズゴケ複合体２０’にて余った水は、水溜用槽３５に戻り、再び、本システム３０にて利用される。【００３９】  なお、本例は、垂直面での例を示しているが、垂直面に代えて、斜面上に本システム３０を構築することもできる。
【図面の簡単な説明】
【００４０】
【図１】生長ミズゴケの全体を示した概略図である。
【図２】平置きタイプのミズゴケ栽培器の態様を示した図面である。
【図３】平置きタイプのミズゴケ栽培器にて養生した生長ミズゴケの植物体を分離して用いて乾燥ミズゴケを製造する様子を示した図面である。
【図４】本ミズゴケ複合体の実施態様を示した図面である。
【図５】水循環型の本ミズゴケ複合体を用いた壁面緑化システムの例を示した図面である。
【図１】
2007029076.tif 000003
【図２】
2007029076.tif 000004
【図３】
2007029076.tif 000005
【図４】
2007029076.tif 000006
【図５】
2007029076.tif 000007